(57)【要約】【課題】調湿性を向上させると共に、高さが経時的に大きく変化することなく、かつ、清涼感の高いマクラを提供する。【解決手段】マクラの上下が第１および第２袋空間Ｓ１，Ｓ２に区画され、前記第１袋空間Ｓ１には炭の破砕物１１が充填され、前記第２袋空間Ｓ２には球状のシリカゲル２１が充填され、前記炭の平均粒径Ｃａが３．０〜２０ｍｍに設定され、前記シリカゲルの平均粒径Ｓａが３．０〜１０ｍｍに設定され、前記炭の破砕物１１と球状のシリカゲル２１の嵩比が３：７〜７：３に設定されている。【選択図】図１
2010051422.tif 000002
【特許請求の範囲】
【請求項１】
マクラの上下が第１および第２袋空間に区画され、
前記第１袋空間には炭の破砕物が充填され、前記第２袋空間には球状のシリカゲルが充填され、
前記炭の平均粒径Ｃａが３．０〜２０ｍｍに設定され、
前記シリカゲルの平均粒径Ｓａが３．０〜１０ｍｍに設定され、
前記炭の破砕物と球状のシリカゲルの嵩比が３：７〜７：３に設定されているマクラ。
【請求項２】
請求項１において、前記第１袋空間を形成する不織布からなる第１袋体と、
前記第２袋空間を形成する不織布からなる第２袋体と、
前記第１袋体と第２袋体とを互いに面接合する面ファスナとを備えたマクラ。
【請求項３】
請求項２において、前記第１および第２袋体の互いに接面される接合面が平面状に形成され、かつ、互いに接合されないマクラの上面および下面を形成する非接合面が前記接合面よりも表面積が大きく膨らんだ形状に予め賦形されているマクラ。
【請求項４】
請求項２もしくは３において、前記第１袋体と第２袋体との間には小袋が設けられ、該小袋には安眠成分を含有する物質が充填され、前記小袋が前記第１袋体および第２袋体とは別体に形成されているマクラ。
【請求項５】
請求項１において、前記第１袋空間と第２袋空間とに区画し、不織布からなる中間材と、
前記中間材との間で前記第１袋空間を形成し、不織布からなる第１表面材と、
前記中間材との間で前記第２袋空間を形成し、不織布からなる第２表面材とを備えたマクラ。
【請求項６】
請求項５において、前記中間材は平面状に形成され、かつ、前記第１および第２表面材は前記中間材よりも表面積が大きく膨らんだ形状に予め賦形されているマクラ。
【請求項７】
請求項５もしくは６において、前記炭の破砕物の層と前記球状のシリカゲルの層との間に、小袋が配置され、該小袋に安眠成分を含有する物質が充填されているマクラ。
【請求項８】
マクラの上下が第１、第２および第３袋空間に区画され、
前記第１および第３袋空間には炭の破砕物が充填され、前記第２袋空間には球状のシリカゲルが充填され、
前記炭の平均粒径が３．０〜２０ｍｍに設定され、
前記シリカゲルの平均粒径が３．０〜１０ｍｍに設定され、
前記第１および第３袋空間の炭の破砕物と第２袋空間の球状のシリカゲルの嵩比が３：７〜７：３に設定され、
前記第２袋空間が前記第１袋空間と第３袋空間との間に位置するマクラ。
【請求項９】
請求項１〜８のいずれか１項において、前記炭の破砕物の平均粒径Ｃａが５．０〜８．０ｍｍに設定され、かつ、当該平均粒径Ｃａに対し、当該炭の破砕物のうちの９０重量％の破砕物の粒径Ｃが（Ｃａ−２）〜（Ｃａ＋２）ｍｍの範囲に設定されているマクラ。
【請求項１０】
請求項１〜９のいずれか１項において、前記シリカゲルの平均粒径が３．０〜７．０ｍｍに設定されているマクラ。
【請求項１１】
請求項２〜１０のいずれか１項において、前記不織布同士はその周縁において互いに溶着されてシールされているマクラ。
【発明の詳細な説明】
【技術分野】
【０００１】
本発明はマクラに関する。
【背景技術】
【０００２】
就寝時に使用者の首筋や頭部に発汗がある場合に、むれ等の不快感を防止するためのマクラが提案されている（たとえば、特許文献１）。
【特許文献１】特開平９−９８８７０号（フロントページ）
【発明の開示】
【発明が解決しようとする課題】
【０００３】
特許文献１には、粒状のシリカゲルをマクラ内に内蔵し、該シリカゲルに汗等を吸湿させることで調湿性の向上を図っている。シリカゲルは、通常のマクラに使用されているカポック（パンヤ）や羽毛などに比べ吸湿量が著しく大きいので、むれ等の不快感を防止することができる。
【０００４】
しかし、シリカゲルは吸湿により膨張してマクラの嵩が大きくなり、該マクラを長期間に渡って使用しているとマクラの高さが徐々に高くなるという不具合が生じる。
また、シリカゲルによる吸湿効果はSiO2がH2O と化学結合する化学反応によるものなので、吸湿に時間がかかり急速な吸湿による清涼感が得られにくい。また、効果の持続性はあるが、悪臭を急激に除去することもできない。
しかも、球状のシリカゲルはシリカゲル同士の摩擦抵抗が小さすぎて、就寝中にマクラが頭からズレるという不具合もある。
【０００５】
したがって、本発明の目的は吸湿性を向上させると共に、高さが経時的に大きく変化したり、マクラがズレたりすることのないマクラを提供することである。
【課題を解決するための手段】
【０００６】
前記目的を達成するために、本発明のマクラは、マクラの上下が第１および第２袋空間Ｓ１，Ｓ２に区画され、前記第１袋空間Ｓ１には炭の破砕物１１が充填され、前記第２袋空間Ｓ２には球状のシリカゲル２１が充填され、前記炭の平均粒径Ｃａが３．０〜２０ｍｍに設定され、前記シリカゲルの平均粒径Ｓａが３．０〜１０ｍｍに設定され、前記炭の破砕物１１と球状のシリカゲル２１の嵩比が３：７〜７：３に設定されている。
【発明の効果】
【０００７】
ここで、シリカゲルの成分は、化学式SiO2・nH2Oで示され、シリカ（二酸化ケイ素）SiO2に水H2O を多量（n)に結合させることができる。但し、シリカゲルの水分の結合は化学反応であるので炭に比べ吸湿に時間がかかる。
一方、炭は、木材を炭化させたものであるので、無数の微細な孔を有する。そのため、該微細な孔に水分が吸着されることにより迅速な吸湿効果を得ることができる。また、炭は、汗に含まれるアンモニアなどの不快な成分や、体臭などの不快な有機成分の吸着効果も高いので、大きな清涼感が得られる。但し、炭による吸湿効果は、前記微小な孔に吸着されることによるものであり、化学反応ではないので、前記シリカゲルに比べ多量の水分を吸着するのが難しい。
【０００８】
したがって、本発明によれば、炭の破砕物が充填された第１袋空間を上にした場合、すなわち、前記第１袋空間を就寝者に当たる側にした場合には、炭による急速な吸湿および吸着効果により、爽快感が得られる。
一方、球状のシリカゲルが充填された第２袋空間を上にした場合には、シリカゲルによる大きな吸湿効果が発揮され、多量の発汗などが生じた場合であってもむれ感などの不快感を少なくすることができる。
また、頭が球状のシリカゲルに接しているので、頭部には滑らかな刺激となり、一方、マクラの下面は炭を介して布団に接するので、マクラの位置が就寝中にズレるおそれもない。
したがって、好みや体調に応じて、頭部に接する側（上側）を炭またはシリカゲルのいずれかに選択することが可能である。
【０００９】
また、シリカゲルが充填された第２袋空間の側を上にして頭部に当てると、粒状のシリカゲルが頭部に沿って該第２袋内を移動し、頭部にスムースに沿う感じを得られる。一方、炭が充填された第１袋空間の側を上にして頭部に当てると、炭粒のゴツゴツした感じが得られる。
前記シリカゲルの平均粒径Ｓａを３．０〜１０ｍｍに設定することで、マクラが頭部にスムースに沿う感じが向上する。一方、炭の平均粒径Ｃａを３．０〜２０ｍｍに設定することにより、炭の角が過度に頭部に食い込むことによる不快感を防止することができる。
【００１０】
特に、使用により経時的に炭の破砕物の角が取れて嵩が減少する一方、吸湿されたシリカゲルが膨張して嵩が増加し、マクラ全体の嵩の変化が小さくなる。そのため、マクラの高さが経時的に大きく変化するのを防止することができる。前記炭の破砕物と球状のシリカゲルの嵩比を３：７〜７：３に設定することにより、マクラの高さの経時的変化を少なくすることができる。
なお、「嵩比」とは、袋に詰めた状態の嵩の比率のことをいう。
【発明を実施するための最良の形態】
【００１１】
本発明において、前記第１袋空間を形成する不織布からなる第１袋体と、前記第２袋空間を形成する不織布からなる第２袋体と、前記第１袋体と第２袋体とを互いに面接合する面ファスナとを備えていてもよい。
本態様によれば、第２袋体に対して、第１袋体のみを交換することができる。前述したように、炭はシリカゲルに比べ多量の水分を吸着するには不向きであり、所定量の水分を吸着すると急速に吸湿効果が失われる。また、水分以外の他の物質の吸着にも限りがある。そこで、前記第１袋体を新たな第１袋体に交換することにより、炭による急速な吸湿作用や清涼感を維持することができる。
また、シリカゲルは、水分の結合が生じると嵩高が大きくなる。一方、炭はシリカゲルに比べ水分の吸収量が小さいので、交換するのが好ましい。そこで、嵩高が大きくなったシリカゲルの充填された第１袋体に応じて、小さな嵩高の新たな第１袋体を用意し、当該第１袋体と第２袋体とを互いに接合することにより、マクラの高さを一定に保つことができる。
なお、シリカゲルの方が炭よりも寿命が長いので、雄面ファスナを第２袋に設けておくのが好ましい。
【００１２】
かかる態様において、前記第１および第２袋体の互いに接面される接合面が平面状に形成され、かつ、互いに接合されない非接合面が前記接合面よりも表面積が大きく膨らんだ形状に予め賦形されているのが好ましい。
本態様によれば、第１および第２袋体の互いに接面される接合面が、それぞれ平面状に形成されているので、該第１および第２袋体を互いに沿うように接合し易い。
また、前記非接合面が前記接合面よりも表面積が大きく膨らんだ形状に予め賦形されているので型崩れしにくい。
【００１３】
かかる態様において、前記第１袋体と第２袋体との間には小袋が設けられ、該小袋には安眠成分を含有する物質が充填され、前記小袋が前記第１袋体および第２袋体とは別体に形成されていてもよい。
前記「安眠成分」とは、睡眠を促す効果や睡眠の質を改善する効果のある成分を有する物質のことをいい、該「安眠成分」としては、たとえば、カモミール、テアニン、グリシンないしトリプトファンなどの何れか１つまたは複数を組み合わせて用いることができる。
本態様によれば、前記安眠成分が炭に一旦吸着され、経時的に当該安眠成分が徐々に揮発することにより、長期間に渡って安眠成分の効果を発揮し得る。なお、安眠成分の揮発による効果を十分に得る為に、炭の破砕物が充填された第１袋体側が就寝者の頭部に当たるように当該第１袋体が上になるように用いるのが好ましい。
また、異なる安眠成分が充填された小袋を複数種類用意することで、好みや体調に応じて、前記小袋を自由に選択して用いることができる。
【００１４】
本発明において、前記第１袋空間と第２袋空間とに区画し、不織布からなる中間材と、前記中間材との間で前記第１袋空間を形成し、不織布からなる第１表面材と、前記中間材との間で前記第２袋空間を形成し、不織布からなる第２表面材とを備えていてもよい。
本態様によれば、第１袋体と第２袋体とを形成することなく、中間材を用いて１つの袋体を第１袋空間と第２袋空間とに区画することにより、低コストでマクラを製造することができる。
【００１５】
かかる態様において、前記中間材は平面状に形成され、かつ、前記第１および第２表面材は前記中間材よりも表面積が大きく膨らんだ形状に予め賦形されているのが好ましい。
【００１６】
かかる態様において、前記炭の破砕物の層と前記球状のシリカゲルの層との間に、小袋が配置され、該小袋に安眠成分を含有する物質が充填されていてもよい。
本態様において、前記小袋は、中間材で区画された第１袋空間側に配置するのが好ましい。前記安眠成分が炭に一旦吸着され、経時的に当該安眠成分が徐々に揮発することにより、長期間に渡って安眠成分の効果が得られるからである。
【００１７】
本発明において、マクラの上下が第１、第２および第３袋空間に区画され、前記第１および第３袋空間には炭の破砕物が充填され、前記第２袋空間には球状のシリカゲルが充填され、前記炭の平均粒径が３．０〜２０ｍｍに設定され、前記シリカゲルの平均粒径が３．０〜１０ｍｍに設定され、前記第１および第３袋空間の炭の破砕物と第２袋空間の球状のシリカゲルの嵩比が３：７〜７：３に設定され、前記第２袋空間が前記第１袋空間と第３袋空間との間に位置されていてもよい。
ここで、炭は清涼感があり吸湿が早い、一方、シリカゲルは吸湿に時間が掛かるが吸湿性は大きい。そのため、本態様によれば、シリカゲルの充填された第２袋空間が、炭の破砕物の充填された第１袋空間と第３空間との間に位置しているので、清涼感と同時に大きな吸湿効果を得ることができる。
【００１８】
本発明において、前記炭の破砕物の平均粒径Ｃａが５．０〜８．０ｍｍに設定され、かつ、当該平均粒径Ｃａに対し、当該炭の破砕物のうちの９０重量％の破砕物の粒径Ｃが（Ｃａ−２）〜（Ｃａ＋２）ｍｍの範囲に設定されているのが好ましい。
炭の破砕物の粒径のバラツキが大きいと、使用する度に該炭の破砕物同士の隙間に該炭の破砕物が入り込んだり、炭の破砕物間に大きな隙間が生じたりしてマクラの高さを一定に保つことが難しいが、本態様では炭の破砕物の粒径のバラツキが小さく設定されているのでマクラの高さを一定に保持することができる。
また、炭の破砕物が頭部に過度に食い込むのを防止し得る。
【００１９】
本発明において、前記シリカゲルの平均粒径が３．０〜７．０ｍｍに設定されているのが好ましい。
本態様によれば、シリカゲルの平均粒径を３．０〜７．０ｍｍに設定することで、球状のシリカゲルが前記袋空間内をスムースに移動し、マクラが頭部に沿う感じを向上させることができる。
【００２０】
本発明において、前記不織布同士はその周縁において互いに溶着されてシールされているのが好ましい。
本態様によれば、不織布同士を縫製や接着する場合に比べ、不織布同士を互いに溶着することにより安価かつ簡便に前記袋体を作成することができる。
【実施例１】
【００２１】
以下、本発明の実施例を図面にしたがって説明する。
なお、以下の説明で用いる図面では、理解を容易にするために、炭の破砕物１１およびシリカゲル２１を拡大して図示している。
【００２２】
図１Ａ〜図１Ｃは実施例１を示す。
図１Ａに示すように、本実施例１のマクラは、不織布からなる第１および第２表面材１，２および中間材３を備えている。前記第１および第２表面材１，２はマクラの表面を構成しており、前記中間材３は平面状に形成されていると共に、第１および第２表面材１，２は前記中間材３よりも表面積が大きく膨らんだ形状に予め賦形されている。
【００２３】
前記第１および第２表面材１，２および中間材３は、その周縁１ｅ，２ｅ，３ｅにおいて互いに溶着されることによりシールされている。そのため、第１表面材１と中間材３との間には第１袋空間Ｓ１が形成され、第２表面材２と中間材３との間には第２袋空間Ｓ２が形成されている。したがって、マクラの上下は密閉された第１および第２袋空間Ｓ１，Ｓ２に区画されている。
【００２４】
炭の破砕物１１：
前記第１袋空間Ｓ１には炭の破砕物１１が充填されている。炭の破砕物１１としては、たとえば、廃材を用いて作成した木炭を破砕したものや、竹炭を破砕したものなどを用いることができる。
前記炭の破砕物１１の平均粒径Ｃａとしては、３．０〜２０ｍｍに設定するのが好ましく、より好ましくは５．０〜８．０ｍｍに設定する。また、当該炭の破砕物１１の平均粒径Ｃａに対し、該炭の破砕物１１のうちの９０重量％の破砕物の粒径Ｃは、（Ｃａ−２）〜（Ｃａ＋２）ｍｍの範囲に設定されている。
【００２５】
シリカゲル２１：
前記第２袋空間Ｓ２には球状のシリカゲル２１が充填されている。前記シリカゲル２１の平均粒径Ｓａとしては、３．０〜１０ｍｍに設定するのが好ましく、より好ましくは３．０〜７．０ｍｍに設定する。
【００２６】
嵩比：
前記炭の破砕物１１と球状のシリカゲル２１との嵩比は、３：７〜７：３に設定されている。すなわち、第１袋空間Ｓ１に充填された炭の破砕物１１の嵩と第２袋空間Ｓ２に充填されたシリカゲル２１の嵩との比率が３：７〜７：３に設定されている。
【００２７】
長期間に渡り本実施例１のマクラを使用していると、図１Ｂに示すように、シリカゲル２１に水分が結合することにより該シリカゲル２１の粒径が大きくなり第１袋空間Ｓ１の嵩が増加する。同時に、炭の破砕物１１の角が取れて第２袋空間Ｓ２の嵩が減少する。
そのため、第１袋空間Ｓ１の高さｈ１が使用前の第１袋空間Ｓ１の高さｈ１（図１Ａ）に比べ高くなると共に、第２袋空間Ｓ２の高さｈ２が使用前の第２袋空間Ｓ２の高さ（図１Ａ）に比べ低くなる。したがって、図１Ａに示す使用前のマクラの高さＨと、図１Ｂに示す長期間に渡って使用したマクラの高さＨとの差が小さくなり、該マクラの使用感に大きな変化が生じない。
【００２８】
なお、図１Ａおよび図１Ｂでは、球状のシリカゲル２１が充填された第２袋空間Ｓ２を頭部に当たる上側に使用した場合について図示したが、好みに応じて、図１Ｃに示すように、炭の破砕物１１が充填された第１袋空間Ｓ１を頭部に当たる上側になるように使用してもよい。
【実施例２】
【００２９】
図２は実施例２を示す。
図２に示すように、本実施例２のマクラは、中間材３の第１袋空間Ｓ１側の面の概ね中央に小袋４が配置されている。前記小袋４は中間材３に接着されていてもよい。
小袋４内には、睡眠を促す効果や睡眠の質を改善する効果のある安眠成分を有する物質が充填されている。前記安眠成分としては、種々の物質を採用することができるが、たとえば、カモミール、テアニン、グリシンないしトリプトファンなどの何れか１つまたは複数を組み合わせて用いることができる。
その他の構成は、実施例１と同様であり、同一部分または相当部分に同一符号を付して、その説明を省略する。
【実施例３】
【００３０】
図３および図４は実施例３を示す。
図３Ａに示すように、本実施例３のマクラは、第１袋空間Ｓ１を形成する不織布からなる第１袋体１０と、第２袋空間Ｓ２を形成する不織布からなる第２袋体２０とを備えている。図３Ｂおよび図３Ｃに示すように、第１袋体１０と第２袋体２０とは、互いに接合される。
【００３１】
第１袋体１０：
図３Ａに示す第１袋体１０は、第１表面材１および第１中間材３１を備えている。第１表面材１および第１中間材３１は、その各周縁１ｅ，３１ｅにおいてそれぞれ互いに溶着されることによりシールされている。そのため、第１表面材１と第１中間材３１との間には第１袋空間Ｓ１が形成されており、該第１袋空間Ｓ１内には炭の破砕物１１が充填されている。
【００３２】
第２袋体２０：
前記第２袋体２０は、第２表面材２および第２中間材３２を備えている。第２表面材２および第２中間材３２は、その各周縁２ｅ，３２ｅにおいて互いに溶着されることによりシールされている。そのため、第２表面材２と第２中間材３２との間には第２袋空間Ｓ２が形成されており、該第２袋空間Ｓ２内には球状のシリカゲル２１が充填されている。
前記炭の破砕物１１および球状のシリカゲル２１は、前述した実施例１と同様であり、その説明を省略する。
【００３３】
前記第２中間材３２の周縁３２ｅには、不織布からなる前記第１中間材３１の周縁３１ｅに係合する雄面ファスナ５が設けられている。
前記第１中間材３１および第２中間材３２は、第１袋体１０および第２袋体２０が互いに接合される接合面を構成しており、該第１中間材３１および第２中間材３２は平面状に形成されている。一方、互いに接合されない非接合面を構成する第１表面材１および第２表面材２は、前記接合面よりも表面積が大きく膨らんだ形状に予め賦形されている。
【００３４】
したがって、図３Ｂに示すように、前記雄面ファスナ５が不織布で構成された第１中間材３１の周縁３１ｅに係合させることで、第１袋体１０と第２袋体２０とが接合されたマクラを得ることができる。なお、体調や好みに応じて、図３Ｂに示すように、第１袋体１０が就寝者の頭に当たるように使用してもよいし、図３Ｃに示すように、第２袋体２０が就寝者の頭に当たるように使用してもよい。
なお、第１中間材３１の周縁３１ｅに前記雄面ファスナ５に係合する雌面ファスナを設けてもよいし、第２中間材３２の周縁３２ｅ以外の前記接合面に面ファスナを設けてもよい。
【００３５】
嵩高の調整：
ここで、図４Ａに示す第１袋体１０および第２袋体２０からなるマクラを使用していると、図４Ｂおよび図４Ｃに示すように、第２袋体２０内のシリカゲル２１が吸湿により膨張し、第２袋体２０が嵩高になって該第２袋体２０の高さｈ１が大きくなる。
一方、第１袋体１０内の炭の破砕物１１は、吸湿可能な水分量がシリカゲル２１に比べて遙に少なく、かつ、その他の物質の吸着量にも限度があるので、第２袋体２０から第１袋体１０を取り外し、新たな炭の破砕物１１が充填された第１袋体１０を第２袋体２０に接合するのが好ましい。
【００３６】
そこで、第１袋体１０の高さｈ２を小さくした第１袋体１０を複数種類予め用意し、嵩高になった第２袋体２０に新たな第１袋体１０を接合することで、前記マクラの高さＨの変化を少なくする。
たとえば、図４Ｂおよび図４Ｃに示すように、高さｈ２を適度に低くした第１袋体１０を用意し、４ヵ月ごとに交換することで、マクラの高さＨの変化を少なくすると共に、炭による吸湿効果および清涼感を１年間持続させることができる。
【００３７】
また、種々の高さの第１袋体１０を予め用意し、当該第１袋体１０を第２袋体２０に組み合わせて接合することで、好みの高さのマクラを得ることができる。したがって、多数の種類のマクラを生産する必要がなくなり大幅なコストダウンを図り得る。
【実施例４】
【００３８】
図５は実施例４を示す。
図５Ａおよび図５Ｂに示すように、本実施例４では、第１および第２袋体１０，２０との間に小袋４が設けられている。
図５Ａに示すように、第１中間材３１には、小袋４がマクラ内で移動するのを防止するための凹部３１ａが賦形されている。
小袋４内には、前述した実施例２で説明した睡眠を促す効果や睡眠の質を改善する効果のある安眠成分を有する物質が充填されている。
その他の構成は、実施例３と同様であり、同一部分または相当部分に同一符号を付して、その詳しい説明および図示を省略する。
【００３９】
図５Ｂに示すように、凹部３１ａ内に小袋４を嵌入させると共に、第１袋体１０と第２袋体２０とを雄面ファスナ５で接合する。
【００４０】
なお、異なる安眠成分を有する物質が充填された小袋４を複数種類容易することで、体調や好みに応じて小袋４を入れ換えることができる。
また、前述した実施例２では、異なる安眠成分を有する物質が充填された小袋４を入れ換えることが実質的に不可能であるので、異なる安眠成分を有する物質が充填された小袋４ごとにマクラを生産する必要がある。また、販売店においても、安眠成分ごとにマクラを在庫する必要がある。これに対し、本実施例４では、小袋４を簡単に入れ換えることができるので、複数種類のマクラを生産する必要がないから、製造コストを大幅に低減させることができる。また、販売店における在庫量も大幅に低減させるることができる。
【００４１】
さらに、凹部３１ａは必ずしも設ける必要はなく、第１中間材３１と第２中間材３２との間に小袋４を挟み込むように第１袋体１０と第２袋体２０とを接合してもよい。小袋４がマクラ内を不用意に移動しないように、かかる場合には、小袋４の上面および／または下面に雄面ファスナを設けて、第１中間材３１および／または第２中間材３２に接合させてもよい。
【実施例５】
【００４２】
図６に示すように、マクラの上下は、第１表面材６、第１中間材７、第２中間材８および第２表面材９によって、第１、第２および第３袋空間Ｓ１１，Ｓ１２，Ｓ１３に区画されている。
前記第１表面材６、第１中間材７、第２中間材８および第２表面材９は、その各周縁６ｅ，７ｅ，８ｅ，９ｅにおいてそれぞれ互いに溶着されることによりシールされている。かかるシールにより、第１表面材６、第１中間材７、第２中間材８および第２表面材９によって、第１、第２および第３袋空間Ｓ１１，Ｓ１２，Ｓ１３に区画されている。
前記第１および第３袋空間Ｓ１１，Ｓ１３には炭の破砕物１１が充填されており、前記第２袋空間Ｓ１２には球状のシリカゲル２１が充填されている。
その他の構成は、実施例１と同様であり、同一部分または相当部分に同一符号を付して、その説明を省略する。
【産業上の利用可能性】
【００４３】
本発明はマクラに利用することができる。
【図面の簡単な説明】
【００４４】
【図１】本発明の実施例１にかかるマクラを示す概略断面図である。
【図２】本発明の実施例２にかかるマクラを示す概略断面図である。
【図３】本発明の実施例３にかかるマクラを示す概略断面図である。
【図４】同マクラの使用方法を示す概略断面図である。
【図５】本発明の実施例４にかかるマクラを示す概略断面図である。
【図６】本発明の実施例５にかかるマクラを示す概略断面図である。
【符号の説明】
【００４５】
１：第１表面材
２：第２表面材
３：中間材
４：小袋
５：雄面ファスナ
１０：第１袋体
１１：炭の破砕物
２０：第２袋体
２１：シリカゲル
Ｓ１：第１袋空間
Ｓ２：第２袋空間
Ｓ３：第３袋空間
【図１】
2010051422.tif 000003
【図２】
2010051422.tif 000004
【図３】
2010051422.tif 000005
【図４】
2010051422.tif 000006
【図５】
2010051422.tif 000007
【図６】
2010051422.tif 000008